【手続補正書】
【提出日】平成17年9月16日(2005.9.16)
【手続補正１】
【補正対象書類名】特許請求の範囲
【補正対象項目名】全文
【補正方法】変更
【補正の内容】
【特許請求の範囲】
【請求項１】
不飽和ポリマー樹脂を架橋する方法であって、該方法は、前記ポリマー樹脂を、式（Ｉ）又は式（Ｉ’）で表される構造要素を有するヒドロキシルアミンエステル、或いは式（ＩＩ）又は式（ＩＩ’）で表される繰り返し構造単位を有するポリマー性ヒドロキシルアミンエステル
【化１】
2005504158.tif 000001
【化２】
2005504158.tif 000002
［式中、
Ｘは、水素原子、炭素原子数１ないし３６のアルキル基、炭素原子数２ないし３６のアルケニル基、炭素原子数２ないし１８のアルキニル基、炭素原子数６ないし１０のアリール基、−Ｏ−（炭素原子数１ないし１８のアルキル）基、−Ｏ−（炭素原子数６ないし１０のアリール）基、−ＮＨ−（炭素原子数１ないし１８のアルキル）基、−ＮＨ−（炭素原子数６ないし１０のアリール）基、−Ｎ（炭素原子数１ないし６のアルキル）2基を表
し；
Ｘ’は、直接結合を表すか又は炭素原子数１ないし３６のアルキレン基、炭素原子数１ないし３６のアルケニレン基、炭素原子数１ないし３６のアルキニレン基、−（炭素原子
数１ないし６のアルキレン）−フェニル−（炭素原子数１ないし６のアルキレン）基又は基
【化３】
2005504158.tif 000003
を表し；
Ｇ1、Ｇ2、Ｇ3及びＧ4は独立して、炭素原子数１ないし４のアルキル基を表すか、又はＧ1とＧ2が一緒に及びＧ3とＧ4が一緒に、或いはＧ1とＧ2が一緒に又はＧ3とＧ4が一緒にペンタメチレン基を表し；
Ｇ5及びＧ6は独立して水素原子又は炭素原子数１ないし４のアルキル基を表し；
Ｒ1は炭素原子数１ないし１２のアルキル基、炭素原子数５ないし７のシクロアルキル
基、炭素原子数７又は８のアラルキル基、炭素原子数２ないし１８のアルカノイル基、炭素原子数３ないし５のアルケノイル基又はベンゾイル基を表す。］
と一緒に加熱することを含む方法。
【請求項２】
前記ヒドロキシルアミンエステルは、式（Ｉａ）又は（Ｉ’ａ）
【化４】
2005504158.tif 000004
［式中、
Ｘは、水素原子、炭素原子数１ないし３６のアルキル基、炭素原子数２ないし３６のアルケニル基、炭素原子数２ないし１８のアルキニル基、炭素原子数６ないし１０のアリール基、−Ｏ−（炭素原子数１ないし１８のアルキル）基、−Ｏ−（炭素原子数６ないし１０のアリール）基、−ＮＨ−（炭素原子数１ないし１８のアルキル）基、−ＮＨ−（炭素原子数６ないし１０のアリール）基、−Ｎ（炭素原子数１ないし６のアルキル）2基を表
し；
Ｘ’は、直接結合を表すか又は炭素原子数１ないし３６のアルキレン基、炭素原子数１ないし３６のアルケニレン基、炭素原子数１ないし３６のアルキニレン基、−（炭素原子数１ないし６のアルキレン）−フェニル−（炭素原子数１ないし６のアルキレン）基又は基
【化５】
2005504158.tif 000005
を表し、
Ｒ2、Ｒ3、Ｒ2’及びＲ3’は、独立して、未置換の炭素原子数１ないし１８のアルキル基、炭素原子数２ないし１８のアルケニル基、炭素原子数２ないし１８のアルキニル基を表すか、又は水素原子、ＣＮ、ＮＯ2又は−ＣＯＯＲ4により置換されたか又はＯ又はＮＲ4により中断された炭素原子数１ないし１８のアルキル基、炭素原子数２ないし１８のア
ルケニル基又は炭素原子数２ないし１８のアルキニル基を表し；
Ｒ4はＨ、フェニル基又は炭素原子数１ないし１８のアルキル基を表すか；又は
Ｒ2及びＲ3及び／又はＲ2’及びＲ3’は、それらが結合する窒素原子と一緒に、窒素原子又は酸素原子により中断されていてもよい及び1個又はそれ以上の炭素原子数１ないし
６のアルキル基、カルボキシル基、炭素原子数１ないし１８のアルコキシ基、炭素原子数１ないし１８のアルカノイルオキシ基により置換されていてもよい５又は６員環を形成する。］
で表される請求項１記載の方法。
【請求項３】
前記ヒドロキシルアミンエステルは、式Ａ、Ｂ又はＣ
【化６】
2005504158.tif 000006
【化７】
2005504158.tif 000007
【化８】
2005504158.tif 000008
［式中、Ｇ1、Ｇ2、Ｇ3及びＧ4はメチル基を表すか又はＧ1及びＧ3はメチル基を表し及びＧ2及びＧ4はエチル基を表すか、又はＧ1及びＧ2はメチル基を表し及びＧ3及びＧ4はエチル基を表し；
Ｇ5及びＧ6は独立して水素原子又はメチル基を表し；
ｍは１であり；
Ｒは、水素原子、中断されていない炭素原子数１ないし１８のアルキル基又は１個又はそれ以上の酸素原子により中断された炭素原子数２ないし１８のアルキル基、シアノエチル基、ベンゾイル基、グリシジル基、炭素原子数２ないし１８の脂肪族カルボン酸の一価基、炭素原子数７ないし１５の脂環式カルボン酸の一価基、又は炭素原子数３ないし５のα，β−不飽和カルボン酸の一価基又は炭素原子数７ないし１５の芳香族カルボン酸の一価基を表し、前記各々のカルボン酸は、１個ないし３個の−ＣＯＯＺ12基（式中、Ｚ12はＨ、炭素原子数１ないし２０のアルキル基、炭素原子数３ないし１２のアルケニル基、炭素原子数５ないし７のシクロアルキル基、フェニル基又はベンジル基を表す。）により脂肪族、脂環式又は芳香族部分において置換され得；又は
Ｒはカルバミン酸又はリン原子含有酸の一価基又は一価シリル基を表し；
ｐは１であり；
Ｒ101は、炭素原子数１ないし１２のアルキル基、炭素原子数５ないし７のシクロアル
キル基、炭素原子数７又は８のアラルキル基、炭素原子数２ないし１８のアルカノイル基、炭素原子数３ないし５のアルケノイル基又はベンゾイル基を表し；
Ｒ102は、炭素原子数１ないし１８のアルキル基、炭素原子数５ないし７のシクロアル
キル基、未置換の、又はシアノ基、カルボニル基又はカルバミド基により置換された炭素原子数２ないし８のアルケニル基を表すか、又はグリシジル基、式−ＣＨ2ＣＨ（ＯＨ）
−Ｚ又は式−ＣＯ−Ｚ−又は−ＣＯＮＨ−Ｚ−（式中、Ｚは水素原子、メチル基又はフェニル基を表す。）で表される基を表し；
Ｒ103は炭素原子数２ないし８のアルキレン基又はヒドロキシアルキレン基又は炭素原
子数４ないし３２のアシルオキシアルキレン基を表し、
及びＸは水素原子、炭素原子数１ないし３６のアルキル基又は炭素原子数６ないし１０のアリール基を表す。］
で表される請求項１記載の方法。
【請求項４】
前記ヒドロキシルアミンエステルは、ジカルボン酸又はジカルボン酸誘導体と式Ａ１又はＢ１
【化９】
2005504158.tif 000009
（式中、Ｇ1、Ｇ2、Ｇ3、Ｇ4、Ｇ5及びＧ6並びにＲ1は請求項１において定義されたとお
りである。）
で表される化合物との反応により、或いはジイソシアネートと式Ａ１で表される化合物との反応により得られ得るオリゴマー又はポリマーである請求項１記載の方法。
【請求項５】
不飽和ポリマー樹脂、請求項１記載の式（Ｉ）又は（Ｉ’）にしたがったヒドロキシルアミンエステル及び所望によりビニルモノマーを含む、加熱架橋可能な組成物。
【請求項６】
着色された及び着色されていないコーティング材料、印刷インク、粉体コーティング、光学的導波管、光学スイッチ、着色耐性系、複合材料組成物、ガラスファイバーケーブルのコーティングの製造、電気電子部品の封入、三次元構造物及びガラス繊維強化物品の製造の為の請求項５記載の組成物の使用。